(57)【要約】【課題】  偶発的な破断が起こらず、かつ引き裂きによって確実に開封することができる収納用袋を提供すること。【解決手段】本発明の収納用袋は、周縁部が密閉されて内部に収納部が規定され、該収納部と連通し、該収納部から端部近傍まで延びている注出通路が設けられ、該注出通路は、該注出通路近傍の所定位置から該注出通路を横断する方向に引き裂くことにより開封可能に構成されており、該密閉部分の所定位置まで内側に向かって密閉部分を切断可能に構成され、略線状の切り目が多数形成されている切断誘導部が設けられ、該密閉部分の所定位置から該注出通路近傍の所定位置まで延びている引き裂き誘導線が設けられている収納用袋である。【選択図】図１
2016016867.tif 000002
【特許請求の範囲】
【請求項１】
周縁部が密閉されて内部に収納部が規定され、
該収納部と連通し、該収納部から端部近傍まで延びている注出通路が設けられ、
該注出通路は、該注出通路近傍の所定位置から該注出通路を横断する方向に引き裂くことにより開封可能に構成されており、
該密閉部分の所定位置まで内側に向かって密閉部分を切断可能に構成され、略線状の切り目が多数形成されている切断誘導部が設けられ、
該密閉部分の所定位置から該注出通路近傍の所定位置まで延びている引き裂き誘導線が設けられている、
収納用袋。
【請求項２】
前記切断誘導部が、内側に向かって前記密閉部分の所定位置まで延びる直線を含む、請求項１に記載の収納用袋。
【請求項３】
前記密閉部分の切断方向が前記切断誘導部の外側に向かわないように前記切り目が形成されている、請求項１または２に記載の収納用袋。
【請求項４】
前記切断誘導部が、前記密閉部分の所定位置を頂点とする略三角形状とされている、請求項１〜３の何れか１項に記載の収納用袋。
【請求項５】
前記密閉部分を切断可能に構成され、前記密閉部分の切断方向が前記切断誘導部の内側に向かうように延びている切断誘導線が前記切断誘導部に設けられている、
請求項１〜４の何れか１項に記載の収納用袋。
【発明の詳細な説明】
【技術分野】
【０００１】
本発明は、収納用袋に関する。
【背景技術】
【０００２】
鋭角に切り欠かれた切り欠きを始点とする開封誘導線に沿って引き裂くことにより流路を開封する包装袋が知られている（特許文献１）。しかし、上記包装袋は、偶発的に開封誘導線に沿って破断してしまったり、開封誘導線から外れて引き裂かれてしまったりするという問題がある。
【先行技術文献】
【特許文献】
【０００３】
【特許文献１】特開２００５−１４５５０２号公報
【発明の概要】
【発明が解決しようとする課題】
【０００４】
本発明は上記従来の課題を解決するためになされたものであり、その目的とするところは、偶発的な破断が起こらず、かつ引き裂きによって確実に開封することができる収納用袋を提供することにある。
【課題を解決するための手段】
【０００５】
本発明の収納用袋は、
周縁部が密閉されて内部に収納部が規定され、
該収納部と連通し、該収納部から端部近傍まで延びている注出通路が設けられ、
該注出通路は、該注出通路近傍の所定位置から該注出通路を横断する方向に引き裂くことにより開封可能に構成されており、
該密閉部分の所定位置まで内側に向かって密閉部分を切断可能に構成され、略線状の切り目が多数形成されている切断誘導部が設けられ、
該密閉部分の所定位置から該注出通路近傍の所定位置まで延びている引き裂き誘導線が設けられている、収納用袋である。
１つの実施形態においては、上記切断誘導部は、内側に向かって上記密閉部分の所定位置まで延びる直線を含む。
１つの実施形態においては、上記密閉部分の切断方向が上記切断誘導部の外側に向かわないように上記切り目が形成されている。
１つの実施形態においては、上記切断誘導部は、上記密閉部分の所定位置を頂点とする略三角形状とされている。
１つの実施形態においては、上記密閉部分を切断可能に構成され、上記密閉部分の切断方向が上記切断誘導部の内側に向かうように延びている切断誘導線が上記切断誘導部に設けられている。
【発明の効果】
【０００６】
本発明によれば、偶発的な破断が起こらず、かつ引き裂きによって確実に開封することができる収納用袋を実現できる。
【図面の簡単な説明】
【０００７】
【図１】本発明の１つの実施形態による収納用袋の概略図である。
【図２】図１の収納用袋の概略部分拡大図である。
【図３】本発明の別の実施形態による収納用袋の概略部分拡大図である。
【図４】本発明のさらに別の実施形態による収納用袋の概略部分拡大図である。
【発明を実施するための形態】
【０００８】
以下、図面を参照して本発明の実施形態について説明するが、本発明はこれらの実施形態には限定されない。
【０００９】
図１は、本発明の１つの実施形態による収納用袋の概略断面図である。なお、図面における上下左右の位置関係は、特に断らない限り、図面に示す位置関係に基づくものとする。図面の寸法比率は、図面に示す比率に限られるものではない。収納用袋１００は、密閉部分１０と収納部２０とを有する。密閉部分１０は、収納用袋１００の周縁部が密閉されて構成される。収納部２０は、周縁部が密閉された収納用袋１００の内部に規定される。図示例では、収納用袋１００の隅部１３の上辺側の密閉部分１０が収納用袋１００の内側に向かって突出して、突出部１０ａを形成している。隅部１３の左辺側の収納用袋１００端部が内側に向かって湾曲して、湾曲部１０ｂを形成している。
【００１０】
収納用袋１００には、収納部２０と連通している注出通路３０が設けられる。注出通路３０は、収納部２０から収納用袋１００の端部近傍まで延びている。図示例では、注出通路３０は隅部１３に向かって延びている。注出通路３０は、突出部１０ａと湾曲部１０ｂとの間に設けられている。
【００１１】
収納用袋１００には、密閉部分１０の所定位置５３まで内側に向かって密閉部分１０を切断可能に構成されている切断誘導部５０が設けられる。図示例では、切断誘導部５０は、突出部１０ａ側に設けられている。代表的には、切断誘導部５０は所定位置５３まで延びる。代表的には、切断誘導部５０は収納用袋１００端部を含む。図示例では、切断誘導部５０は、収納用袋１００の上辺から内側に向かって（以下、収納用袋内側方向と称する。）所定位置５３まで延びる直線を含んでいる。切断誘導部５０の形状としては、任意の適切な形状を採用し得る。上記形状としては、例えば、略多角形状（例えば、略三角形状、および略四角形状）、略Ｕ字形状、および略Ｖ字形状が挙げられる。切断誘導部５０は所定位置５３を頂点とする略三角形状とされ得る。図示例では、切断誘導部５０は、収納用袋１００上端部を底辺とし、かつ所定位置５３を頂点とする略三角形状とされている。収納用袋１００端部と所定位置５３との距離は、任意の適切な長さであり得る。上記長さは、例えば５ｍｍ〜４ｃｍである。
【００１２】
収納用袋１００には、必要に応じて、滑り止め部１２が設けられていても良い。滑り止め部１２は、切断誘導部５０近傍の密閉部分１０に設けられ得る。図示例では、滑り止め部１２は切断誘導部５０と注出通路３０との間に設けられている。滑り止め部１２の構成としては、任意の適切な構成を採用し得る。滑り止め部１２は、例えば、密閉部分１０表面に滑り止め能を付与する組成物（例えば、滑り止めインキ）を塗布することにより形成しても良いし、密閉部分１０表面にエンボス加工を施すことにより形成しても良い。滑り止め部１２が設けられていることにより、引き裂き時に手が滑りにくくなる。その結果、引き裂きによって収納用袋をさらに確実に開封することができる。
【００１３】
収納用袋１００には引き裂き誘導線６０が設けられる。引き裂き誘導線６０は、所定位置５３から注出通路３０近傍の所定位置４１ｂまで延びている。図示例では、引き裂き誘導線６０は、滑り止め部１２よりも収納用袋１００内側を通って延びている。上記引き裂き誘導線としては、任意の適切な引き裂き誘導線を採用し得る。上記引き裂き誘導線としては、例えば、密閉部分を破断している破断線、断続する切り目によって構成される切り取り線、およびハーフカットが挙げられる。図示例では、引き裂き誘導線６０は密閉部分１０を破断している破断線である。
【００１４】
注出通路３０は、所定位置４１ｂから注出通路３０を横断する方向（以下、横断方向と称する。）に引き裂くことにより開封可能に構成されている。図示例では、所定位置４１ｂは注出通路３０の突出部１０ａ側に位置している。横断方向は、突出部１０ａ側から湾曲部１０ｂ側に向かう方向である。上記の開封可能な構成としては、任意の適切な構成を採用し得る。例えば、開封誘導線が設けられていることにより開封可能とされていても良いし、易引き裂き性フィルムによって形成されている領域が設けられていることにより開封可能とされていても良い。
【００１５】
図２は図１の収納用袋の概略部分拡大図である。切断誘導部５０には略線状の切り目５１ａが多数形成されている。切り目５１ａは、密閉部分１０の切断方向が切断誘導部５０の外側に向かわないように形成され得る。図示例では、切り目５１ａは、収納用袋１００内側方向に密閉部分１０が切断されるように形成されている。切り目５１ａは、切断方向が、収納用袋１００内側方向よりも切断誘導部５０の内側に向かう方向（以下、切断誘導部内側方向と称する。）に向かうように形成され得る。個々の切り目５１ａの長さは、任意の適切な長さをとり得る。切り目５１ａの数は、任意の適切な数をとり得る。切断誘導部に略線状の切り目が多数形成されていることにより、引き裂きの始点を切り欠きにする必要が無くなる。その結果、偶発的な破断が起こらない収納用袋を実現できる。さらに、引き裂きによって確実に開封することができる収納用袋を実現できる。
【００１６】
切断誘導部５０には、必要に応じて、密閉部分１０を切断可能に構成されている切断誘導線が設けられていても良い。上記切断誘導線は１本であっても良く、２本以上であっても良い。図示例では、切断誘導部５０に切断誘導線５２ａおよび５２ｂが設けられている。代表的には、切断誘導線は、切断方向が切断誘導部５０内側方向に向かうように延びている。図示例では、切断誘導線５２ａおよび５２ｂは収納用袋１００の端部から切断誘導部５０の外縁に沿って所定位置５３まで延びている。上記切断誘導線としては、任意の適切な切断誘導線を採用し得る。上記切断誘導線としては、例えば、ハーフカット、密閉部分を破断している破断線、および断続する切り目によって構成される切り取り線が挙げられる。図示例では、切断誘導線５２ａおよび５２ｂはハーフカットである。切断誘導線がハーフカットであることにより、収納用袋を引き裂きによってさらに確実に開封することができる。ハーフカットは、レーザーを用いて形成されても良いし、刃物を用いて形成されても良い。切断誘導線が設けられることにより、引き裂きによって収納用袋をさらに確実に開封することができる。
【００１７】
上述のように、引き裂き誘導線６０は所定位置５３から所定位置４１ｂまで延びている。図示例では、所定位置４１ｂは、所定位置４１ａおよび４１ｃとともに、注出通路３０近傍に注出通路３０に沿って位置している。所定位置４１ａ、４１ｂおよび４１ｃは、注出通路３０の先端からこの順に位置している。所定位置４１ａ〜ｃは互いに近接している。注出通路３０は、所定位置４１ａ〜ｃのそれぞれから横断方向に引き裂くことにより開封可能に構成されている。図示例では、所定位置４１ａ〜ｃからそれぞれ、開封誘導線４０ａ〜ｃが注出通路３０の断面の外縁全周に形成され、湾曲部１０ｂ側の収納用袋１００端部に位置する所定位置４２ａ〜ｃまで延びている。上記開封誘導線としては、任意の適切な開封誘導線を採用し得る。上記開封誘導線としては、例えばハーフカットが挙げられる。２以上の開封誘導線が設けられることにより、引き裂きによって収納用袋をさらに確実に開封することができる。
【００１８】
収納用袋１００を構成するフィルムの材料としては、任意の適切な材料を採用し得る。上記材料としては、例えばプラスチックが挙げられる。一例として、以下の構成が挙げられる。
ＮＹ＃１５／ＤＬ／ＶＭ−ＰＥＴ＃１２／ＤＬ／ＬＬＤ＃１２０
すなわち、収納用袋１００は積層フィルムによって構成される。さらに、上記積層フィルムは、厚さ１５μｍのナイロンフィルム（商品名「ＯＮ」、ユニチカ株式会社製）と、厚さ１２μｍの蒸着ポリエチレンテレフタレートフィルム（商品名「テトライトＰＣ」、尾池パックマテリアル株式会社製）とを、ドライラミネート（商品名「Ａ−６０３／Ｃ−８３」、大日精化工業株式会社製）により積層したフィルムを作製し、上記フィルムに、さらに、厚さ１２０μｍのリニアローデンシティポリエチレンフィルム（商品名「ＬＬ−ＸＭＴＮ−ＳＴ」、フタムラ化学株式会社製）を、ドライラミネート（商品名「Ａ−６０３／Ｃ−８３」、大日精化工業株式会社製）により積層することによって得られる。
【００１９】
図３は、本発明の別の実施形態による収納用袋の概略部分拡大図である。図示例では、切断誘導部５０’の内側に、切断誘導線５２ｃおよび５２ｄと収納用袋端部とに囲まれる領域（以下、内側領域と称する。）が設けられている。内側領域には切り目５１ｂが多数形成されている。切り目５１ｂは収納用袋内側方向に密閉部分１０が切断されるように形成されている。内側領域の外側の切断誘導部５０’には、切り目５１ｃが複数形成されている。切り目５１ｃは切断誘導部５０’内側方向に密閉部分１０が切断されるように形成されている。
【００２０】
図４は、本発明のさらに別の実施形態による収納用袋の概略部分拡大図である。切断誘導部５０’’には切り目５１ｄが多数形成されている。切り目５１ｄは切断誘導部５０’’内側方向に密閉部分１０が切断されるように形成されている。
【００２１】
収納用袋の被収納物としては、任意の適切な被収納物を採用し得る。上記被収納物としては、例えば、液体、および粉体が挙げられる。
【産業上の利用可能性】
【００２２】
本発明の収納用袋は、様々な産業分野における製品の収納に好適に使用可能であり、例えば、詰め替えのために用いられ得る。収納される製品としては、例えば、洗剤（例えば、人体を洗浄するための洗剤、食器用洗剤、衣料用洗剤、および清掃用洗剤）、医療用品（例えば、薬剤、点滴液、および輸液）、飲料、および染料が挙げられる。
【符号の説明】
【００２３】
１０      密閉部分
２０      収納部
３０      注出通路
５０      切断誘導部
６０      引き裂き誘導線
１００    収納用袋
【図１】
2016016867.tif 000003
【図２】
2016016867.tif 000004
【図３】
2016016867.tif 000005
【図４】
2016016867.tif 000006